【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】
塩化ビニルポリマー、
発泡剤、
(A) 下式
Ｒ1 (4-y) Ｓｎ [ＳＲ2 ＯＣ（＝Ｏ）Ｒ3]y         Ｉ
（上式中、Ｒ1 は１〜８個の炭素原子を有するアルキル基であり、Ｒ2 は２〜18個の炭素原子を有するアルキレン基であり、Ｒ3 は水素、ヒドロカルビル基、ヒドロキシヒドロカルビル基、又はＲ4 Ｃ（＝Ｏ）ＯＲ5 であり、Ｒ4 は（ＣＨ2)p 、フェニレン、又は−ＣＨ＝ＣＨ−であり、Ｒ5 はヒドロカルビル基であり、ｐは０又は１〜８の整数であり、そしてｙは１〜３のあらゆる数である）
を有するメルカプトアルキルカルボキシレートの有機錫メルカプチド、及び
(B) 上記式Ｉの有機メルカプチドのスルフィド
からなる群より選ばれる少なくとも１種の安定剤、並びに所望により
下式
Ｒ' (4-x) ＳｎＸx
（上式中、Ｒ’は１〜18個の炭素原子を有するアルキル基であり、Ｘは塩化物イオンもしくはカルボキシレートイオンであり、ｘは１〜３である）
を有する少なくとも１種の有機錫塩
から本質的になる組成物であって、但しこの有機錫塩が組成物中に存在しない場合は、この組成物はモノ有機錫ビス（メルカプトアルキルカルボキシレート）スルフィドを80重量％より多く含む有機錫メルカプトアルキルカルボキシレートスルフィドを含まないものとする組成物。
【請求項２】
Ｘが１〜20個の炭素原子を有するカルボキシレートイオンであり、ｘが好ましくは２〜３である、請求項１記載の組成物。
【請求項３】
Ｒ1 が１〜４個の炭素原子を有するアルキル基であり、Ｒ2が２〜８個の炭素原子を有するアルキレン基であり、Ｒ3 が１〜17個の炭素原子を有するアルキル基又はフェニル基であり、そしてｙが２〜３である、請求項１記載の組成物。
【請求項４】
前記スルフィドが下式
【化１】
1998195222.tif 000001
（上式中、Ｒ7 はヒドロカルビル基であり、Ｒ8 はヒドロカルビル基又は−Ｓ−Ｚ−[ＯＣ（＝Ｏ）Ｒ9]m であり、Ｚは少なくとも２個の炭素原子を有するアルキレンもしくはヒドロキシアルキレン基であり、Ｒ9 は水素、ヒドロカルビル基、ヒドロキシヒドロカルビル基、又はＲ10Ｃ（＝Ｏ）ＯＲ11であり、Ｒ10は（ＣＨ2)p 、フェニレンもしくは−ＣＨ＝ＣＨ−であり、Ｒ11はヒドロカルビル基であり、ｍは１〜３の整数であり、ｎは１〜２であり、ｐは０又は１〜８の整数であり、ｑは１〜10であり、そしてＺの原子価はｍ＋１である）
を有し、但し、オリゴマー有機錫スルフィドを含む、−ＳｎＲ7 、−ＳｎＲ8 、及び−ＳｎＳ−Ｚ− [ＯＣ（＝Ｏ）Ｒ9]m 部分の平衡から生ずる生成物を含むものとする、請求項１記載の組成物。
【請求項５】
Ｒ7 及びＲ8 が１〜８個の炭素原子を有するアルキル基であり、Ｚが２〜８個の炭素原子を有するアルキレン基であり、Ｒ9 が１〜17個の炭素原子を有するアルキル基であり、ｎが１であり、そしてｑが１〜４である、請求項４記載の組成物。
【請求項６】
ｑが１〜２である、請求項４記載の組成物。
【請求項７】
安定剤Ａが、ｙが２であるものとｙが３であるもののメルカプトアルキルカルボキシレートの有機錫メルカプチドの混合物を含み、ｙが２であるメルカプチドの量がこの混合物の総重量の70〜90％である、請求項１記載の組成物。
【請求項８】
ｙが２であるメルカプチドの量がこの混合物の総重量の80〜85％である、請求項２記載の組成物。
【請求項９】
Ｒ1 が１〜４個の炭素原子を有するアルキル基であり、Ｒ2が２〜８個の炭素原子を有するアルキレン基であり、Ｒ3 が１〜17個の炭素原子を有するアルキル基又はフェニル基であり、そしてｙが２〜３である、請求項８記載の組成物。
【請求項１０】
塩化ビニルポリマーの発泡方法であって、塩化ビニルポリマー、発泡剤、
(A) 下式
Ｒ1 (4-y) Ｓｎ [ＳＲ2 ＯＣ（＝Ｏ）Ｒ3]y         Ｉ
（上式中、Ｒ1 は１〜８個の炭素原子を有するアルキル基であり、Ｒ2 は２〜18個の炭素原子を有するアルキレン基であり、Ｒ3 は水素、ヒドロカルビル基、ヒドロキシヒドロカルビル基、又はＲ4 Ｃ（＝Ｏ）ＯＲ5 であり、Ｒ4 は（ＣＨ2)p 、フェニレン、又は−ＣＨ＝ＣＨ−であり、Ｒ5 はヒドロカルビル基であり、ｐは０又は１〜８の整数であり、そしてｙは１〜３のあらゆる数である）
を有するメルカプトアルキルカルボキシレートの有機錫メルカプチド、及び
(B) 上記式Ｉの有機メルカプチドのスルフィド
からなる群より選ばれる少なくとも１種の安定剤、並びに所望により
下式
Ｒ' (4-x) ＳｎＸx
（上式中、Ｒ’は１〜18個の炭素原子を有するアルキル基であり、Ｘは塩化物イオンもしくはカルボキシレートイオンであり、ｘは１〜３である）
を有する少なくとも１種の有機錫塩
から本質的になる混合物であって、但しこの有機錫塩が混合物中に存在しない場合は、この混合物はモノ有機錫ビス（メルカプトアルキルカルボキシレート）スルフィドを80重量％より多く含む有機錫メルカプトアルキルカルボキシレートスルフィドを含まないものとする混合物を加熱することを含む方法。
【請求項１１】
Ｘが１〜20個の炭素原子を有するカルボキシレートイオンであり、ｘが好ましくは１〜２である、請求項１０記載の方法。
【請求項１２】
Ｒ1 が１〜４個の炭素原子を有するアルキル基であり、Ｒ2 が２〜８個の炭素原子を有するアルキレン基であり、Ｒ3 が１〜17個の炭素原子を有するアルキル基又はフェニル基であり、そしてｙが２〜３である、請求項１０記載の方法。
【請求項１３】
前記スルフィドが下式
【化２】
1998195222.tif 000002
（上式中、Ｒ7 はヒドロカルビル基であり、Ｒ8 はヒドロカルビル基又は−Ｓ−Ｚ−[ＯＣ（＝Ｏ）Ｒ9]m であり、Ｚは少なくとも２個の炭素原子を有するアルキレンもしくはヒドロキシアルキレン基であり、Ｒ9 は水素、ヒドロカルビル基、ヒドロキシヒドロカルビル基、又はＲ10Ｃ（＝Ｏ）ＯＲ11であり、Ｒ10は（ＣＨ2)p 、フェニレンもしくは−ＣＨ＝ＣＨ−であり、Ｒ11はヒドロカルビル基であり、ｍは１〜３の整数であり、ｎは１〜２であり、ｐは０又は１〜８の整数であり、ｑは１〜10であり、そしてＺの原子価はｍ＋１である）
を有し、但し、オリゴマー有機錫スルフィドを含む、−ＳｎＲ7 、−ＳｎＲ8 、及び−ＳｎＳ−Ｚ− [ＯＣ（＝Ｏ）Ｒ9]m 部分の平衡から生ずる生成物を含むものとする、請求項１０記載の方法。
【請求項１４】
Ｒ7 及びＲ8 が１〜８個の炭素原子を有するアルキル基であり、Ｚが２〜８個の炭素原子を有するアルキレン基であり、Ｒ9 が１〜17個の炭素原子を有するアルキル基であり、ｎが１であり、そしてｑが１〜４である、請求項１３記載の方法。
【請求項１５】
ｑが１〜２である、請求項１３記載の方法。
【請求項１６】
Ｘが塩化物イオンである、請求項１０記載の方法。
【請求項１７】
有機錫カルボキシレートがｘが２〜３である混合物を含む、請求項１１記載の方法。
【請求項１８】
有機錫塩化物がｘが２〜３である混合物を含む、請求項１６記載の方法。
【請求項１９】
塩化ビニルポリマー、
(A) 下式
Ｒ1 (4-y) Ｓｎ [ＳＲ2 ＯＣ（＝Ｏ）Ｒ3]y           Ｉ
（上式中、Ｒ1 は１〜８個の炭素原子を有するアルキル基であり、Ｒ2 は２〜18個の炭素原子を有するアルキレン基であり、Ｒ3 は水素、ヒドロカルビル基、ヒドロキシヒドロカルビル基、又はＲ4 Ｃ（＝Ｏ）ＯＲ5 であり、Ｒ4 は（ＣＨ2)p 、フェニレン、又は−ＣＨ＝ＣＨ−であり、Ｒ5 はヒドロカルビル基であり、ｐは０又は１〜８の整数であり、そしてｙは１〜３のあらゆる数である）
を有するメルカプトアルキルカルボキシレートの有機錫メルカプチド、及び
(B) 上記式Ｉの有機メルカプチドのスルフィド
からなる群より選ばれる少なくとも１種の安定剤、並びに所望により
下式
Ｒ' (4-x) ＳｎＸx
（上式中、Ｒ’は１〜18個の炭素原子を有するアルキル基であり、Ｘは塩化物イオンもしくはカルボキシレートイオンであり、ｘは１〜３である）
を有する少なくとも１種の有機錫塩
から本質的になる硬質の気泡質組成物であって、但しこの有機錫塩が組成物中に存在しない場合は、この組成物はモノ有機錫ビス（メルカプトアルキルカルボキシレート）スルフィドを80重量％より多く含む有機錫メルカプトアルキルカルボキシレートスルフィドを含まないものとする組成物。
【請求項２０】
Ｘが１〜20個の炭素原子を有するカルボキシレートイオンであり、x が好ましくは２〜３である、請求項１９記載の組成物。
【請求項２１】
Ｒ1 が１〜４個の炭素原子を有するアルキル基であり、Ｒ2 が２〜８個の炭素原子を有するアルキレン基であり、Ｒ3 が１〜17個の炭素原子を有するアルキル基又はフェニル基であり、そしてｙが２〜３である、請求項２０記載の組成物。
【請求項２２】
前記スルフィドが下式
【化３】
1998195222.tif 000003
（上式中、Ｒ7 はヒドロカルビル基であり、Ｒ8 はヒドロカルビル基又は−Ｓ−Ｚ−[ＯＣ（＝Ｏ）Ｒ9]m であり、Ｚは少なくとも２個の炭素原子を有するアルキレンもしくはヒドロキシアルキレン基であり、Ｒ9 は水素、ヒドロカルビル基、ヒドロキシヒドロカルビル基、又はＲ10Ｃ（＝Ｏ）ＯＲ11であり、Ｒ10は（ＣＨ2)p 、フェニレンもしくは−ＣＨ＝ＣＨ−であり、Ｒ11はヒドロカルビル基であり、ｍは１〜３の整数であり、ｎは１〜２であり、ｐは０又は１〜８の整数であり、ｑは１〜10であり、そしてＺの原子価はｍ＋１である）
を有し、但し、オリゴマー有機錫スルフィドを含む、−ＳｎＲ7 、−ＳｎＲ8 、及び−ＳｎＳ−Ｚ− [ＯＣ（＝Ｏ）Ｒ9]m 部分の平衡から生ずる生成物を含むものとする、請求項１９記載の組成物。
【請求項２３】
Ｒ7 及びＲ8 が１〜８個の炭素原子を有するアルキル基であり、Ｚが２〜８個の炭素原子を有するアルキレン基であり、Ｒ9 が１〜17個の炭素原子を有するアルキル基であり、ｎが１であり、そしてｑが１〜４である、請求項２２記載の組成物。
【請求項２４】
ｑが１〜２である、請求項２２記載の組成物。
【請求項２５】
Ｘが塩化物イオンである、請求項１９記載の組成物。
【請求項２６】
有機錫カルボキシレートがｘが２〜３である混合物を含む、請求項２０記載の組成物。
【請求項２７】
有機錫塩化物がｘが２〜３である混合物を含む、請求項２５記載の組成物。